(57)【要約】【課題】ガイドの適切な装着状態のもと、ガイドに適切に支持された生体から生体情報を取得可能にする生体情報入力装置を提供する。【解決手段】生体情報入力装置１は、本体部２とガイド部３とを備える。ガイド部３は、本体部２に装着された状態で生体６を正位置で支持可能であり、本体部２に着脱自在である。ガイド部３は、本体部２へのガイド部３の装着状態の判別に用いる標識部３ａを備える。本体部２は、生体情報入力装置１の本体であり、撮影部４と判定部５とを備える。撮影部４は、ガイド部３が本体部２に装着された状態の標識部３ａと、ガイド部３により支持された生体６とを撮影範囲に含めた撮影画像４ａを撮影可能である。判定部５は、撮影画像４ａに含まれる標識部３ａにもとづいて、ガイド部装着状態７を判定し、撮影画像４ａに含まれる生体６にもとづいて、生体支持状態８を判定する。【選択図】図１
2014026585.tif 000002
【特許請求の範囲】
【請求項１】
生体から生体情報を入力する本体部と、前記本体部に着脱自在であって、前記本体部に装着された状態で前記生体を正位置で支持可能なガイド部と、を備え、
前記ガイド部は、前記本体部への装着状態の判別に用いられる標識部を備え、
前記本体部は、
前記ガイド部が装着された状態の前記標識部と、前記ガイド部により支持された前記生体とを撮影範囲に含めた撮影画像を撮影可能な撮影部と、
前記撮影画像に含まれる前記標識部にもとづいて前記本体部への前記ガイド部のガイド部装着状態を判定し、前記撮影画像に含まれる前記生体にもとづいて前記ガイド部による前記生体の生体支持状態を判定する判定部と、を備える、
ことを特徴とする生体情報入力装置。
【請求項２】
前記標識部は、所定の形状を有し、
前記判定部は、前記撮影画像に含まれる前記標識部の形状にもとづいて装着状態を判定することを特徴とする請求項１記載の生体情報入力装置。
【請求項３】
前記判定部は、前記撮影画像に含まれる前記標識部の数にもとづいて装着状態を判定することを特徴とする請求項１または請求項２記載の生体情報入力装置。
【請求項４】
前記判定部は、前記標識部を基準にして前記生体の生体支持状態を判定することを特徴とする請求項１乃至３のいずれか１つに記載の生体情報入力装置。
【請求項５】
前記ガイド部は、前記ガイド部の種別を特定可能な種別標識を備え、
前記撮影部は、前記種別標識を撮影範囲に含めた撮影画像を撮影可能であり、
前記撮影画像に含まれる前記種別標識にもとづいて前記ガイド部の種別を特定する特定部を備えることを特徴とする請求項１乃至４のいずれか１つに記載の生体情報入力装置。
【請求項６】
前記ガイド部は、前記本体部へ装着される面を底面として上方で開放する箱形状であって、前記底面に窓部と、開放端に前記生体を支持する支持部と、を備え、
前記撮影部は、前記本体部へ前記ガイド部が装着された場合に、前記窓部に位置することを特徴とする請求項１乃至５のいずれか１つに記載の生体情報入力装置。
【請求項７】
前記ガイド部は、前記標識部を前記箱形状の内壁に備えることを特徴とする請求項６記載の生体情報入力装置。
【請求項８】
前記ガイド部は、前記種別標識を前記箱形状の内壁に備えることを特徴とする請求項６または請求項７記載の生体情報入力装置。
【請求項９】
生体から生体情報を入力する本体部と、前記本体部に着脱自在であって、前記本体部に装着された状態で前記生体を正位置で支持可能なガイド部と、を備え、
前記ガイド部は、前記本体部への装着状態の判別に用いられる標識部を備え、
前記本体部は、前記ガイド部が装着された状態の前記標識部と、前記ガイド部により支持された前記生体とを撮影範囲に含めた撮影画像を撮影可能な撮影部を備える、
生体情報入力装置の生体支持状態を判定する生体支持状態判定方法であって、
コンピュータが、
前記撮影部が撮影した、前記ガイド部が装着された状態の前記標識部と、前記ガイド部により支持された前記生体とを撮影範囲に含む撮影画像を取得し、
前記撮影画像にもとづいて、前記本体部への前記ガイド部のガイド部装着状態と、前記ガイド部による前記生体の生体支持状態とを判定する、
ことを特徴とする生体支持状態判定方法。
【請求項１０】
生体から生体情報を入力する本体部と、前記本体部に着脱自在であって、前記本体部に装着された状態で前記生体を正位置で支持可能なガイド部と、を備え、
前記ガイド部は、前記本体部への装着状態の判別に用いられる標識部を備え、
前記本体部は、前記ガイド部が装着された状態の前記標識部と、前記ガイド部により支持された前記生体とを撮影範囲に含めた撮影画像を撮影可能な撮影部を備える、
生体情報入力装置における生体支持状態を判定する生体支持状態判定プログラムであって、
コンピュータに、
前記撮影部が撮影した、前記ガイド部が装着された状態の前記標識部と、前記ガイド部により支持された前記生体とを撮影範囲に含む撮影画像を取得し、
前記撮影画像にもとづいて、前記本体部への前記ガイド部のガイド部装着状態と、前記ガイド部による前記生体の生体支持状態とを判定する、
処理を実行させることを特徴とする生体支持状態判定プログラム。
【発明の詳細な説明】
【技術分野】
【０００１】
本発明は、生体情報入力装置、生体支持状態判定方法、および生体支持状態判定プログラムに関する。
【背景技術】
【０００２】
個人を識別可能な生体情報を用いたユーザ認証が普及し始めている。たとえば、認証に利用可能とされる生体情報として、指紋、目の網膜や虹彩、顔、血管、ＤＮＡ（Deoxyribo Nucleic Acid）などが知られている。
【０００３】
たとえば、生体情報を用いた認証は、携帯電話端末などによる静脈パターンの認証がおこなわれている。生体情報を用いた認証は、登録時に入力した生体情報と認証用に入力した生体情報との同一性によりおこなわれる。したがって、生体情報を用いた認証では、生体情報を入力の際の、生体の姿勢（形状、向きなど）が認証率に影響を与える。そのため、生体情報を取得する生体情報入力装置は、生体情報の入力対象となる生体情報入力部位を適切な姿勢に支持するガイドを備えている。
【０００４】
また、入力端末の小型化等により利用する時にのみ装着する着脱自在なガイドを備える生体情報入力装置の存在も知られている（たとえば、特許文献１）。
【先行技術文献】
【特許文献】
【０００５】
【特許文献１】特開２００７−２１５９５１号公報
【発明の概要】
【発明が解決しようとする課題】
【０００６】
しかしながら、生体情報入力装置本体からガイドを着脱自在にした場合に、生体情報入力装置本体に対してガイドが適切に装着されない場合がある。生体情報入力装置本体に対してガイドが適切に装着されない場合、ガイドにより生体が適切な姿勢に支持されないおそれがある。また、ガイドが適切な姿勢に生体を支持していても、生体情報入力装置本体に対してガイドが適切に装着されないために生体情報入力装置本体に対して生体が適切な位置にない場合がある。
【０００７】
また、生体の個体差（たとえば、性別や年齢）に応じて複数種類のガイドを使い分ける場合、生体情報入力装置本体に対して利用者に応じた適切なガイドが選択されていない場合がある。このような場合には、生体情報入力装置本体に対してガイドが適切に装着されていても、ガイドが生体を適切な姿勢に支持しないおそれがある。
【０００８】
本発明は、このような点に鑑みてなされたものであり、ガイドの適切な装着状態のもと、ガイドに適切に支持された生体から生体情報を取得可能にする生体情報入力装置、生体支持状態判定方法、および生体支持状態判定プログラムの提供を目的とする。
【課題を解決するための手段】
【０００９】
上記課題を解決するために、本発明の生体情報入力装置は、生体から生体情報を入力する本体部と本体部に着脱自在であって本体部に装着された状態で生体を正位置で支持可能なガイド部とを備える。ガイド部は、ガイド部の本体部への装着状態の判別に用いられる標識部を備える。本体部は、撮影部と判定部とを備える。撮影部は、ガイド部が装着された状態の標識部と、ガイド部により支持された生体とを撮影範囲に含めた撮影画像を撮影可能である。判定部は、撮影画像に含まれる標識部にもとづいて、本体部へのガイド部のガイド部装着状態を判定し、撮影画像に含まれる生体にもとづいて、ガイド部による生体の生体支持状態を判定する。
【００１０】
また、上記課題を解決するために、本発明は、以下に示すような処理をコンピュータに実行させる生体支持状態判定プログラム、および以下に示すような処理をコンピュータがおこなう生体支持状態判定方法を提供する。生体から生体情報を入力する本体部と、本体部に着脱自在であって、本体部に装着された状態で生体を正位置で支持可能なガイド部と、を備え、ガイド部は本体部への装着状態の判別に用いられる標識部を備え、本体部はガイド部が装着された状態の標識部と、ガイド部により支持された生体とを撮影範囲に含めた撮影画像を撮影可能な撮影部を備える生体情報入力装置であって、コンピュータは、撮影部が撮影した、ガイド部が装着された状態の標識部と、ガイド部により支持された生体とを撮影範囲に含む撮影画像を取得し、撮影画像に含まれる標識部にもとづいて、本体部へのガイド部のガイド部装着状態を判定し、撮影画像に含まれる生体にもとづいて、ガイド部による生体の生体支持状態を判定する。
【発明の効果】
【００１１】
上記の生体情報入力装置、生体支持状態判定方法、生体支持状態判定プログラムによれば、ガイドの適切な装着状態のもと、ガイドに適切に支持された生体から生体情報を取得可能にする。
【図面の簡単な説明】
【００１２】
【図１】第一の実施形態の生体情報入力装置の構成を示す図である。
【図２】第二の実施形態の生体情報入力装置の外観図である。
【図３】第二の実施形態の本体部の外観図である。
【図４】第二の実施形態のガイドの外観図である。
【図５】第二の実施形態の生体情報入力装置のハードウェアの構成を示す図である。
【図６】第二の実施形態の撮影範囲の俯瞰図である。
【図７】第二の実施形態の撮影範囲の俯瞰図をＸ−Ｘで切断した模式図である。
【図８】第二の実施形態の撮影範囲の俯瞰図をＹ−Ｙで切断した模式図である。
【図９】第二の実施形態のガイドの装着例を示す図である。
【図１０】第二の実施形態の登録処理のフローチャートである。
【図１１】第二の実施形態の判定処理のフローチャートである。
【図１２】第二の実施形態の標識の二値化の一例である。
【図１３】第二の実施形態の二値化後の撮影画像の一例を示す図である。
【図１４】第二の実施形態のガイド種別判定処理のフローチャートである。
【図１５】第二の実施形態の二値化後の種別標識の一例を示す図である。
【図１６】第二の実施形態のガイド装着状態判定処理のフローチャートである。
【図１７】第二の実施形態のガイドが適切に装着された状態の撮影画像の一例を示す図である。
【図１８】第二の実施形態のガイドが不適切に装着された状態の撮影画像の一例を示す図である。
【図１９】第二の実施形態のガイドが不適切に装着された状態の撮影画像の一例を示す図である。
【図２０】第二の実施形態の生体支持状態判定処理のフローチャートである。
【図２１】第二の実施形態の生体支持状態判定処理の生体位置情報の測定方法の一例である。
【図２２】第二の実施形態の生体支持状態判定処理の生体位置情報の測定方法の一例である。
【図２３】第二の実施形態の照合処理のフローチャートである。
【図２４】第三の実施形態の生体情報入力装置を含む認証システムを示す図である。
【図２５】第三の実施形態の処理装置のハードウェアの構成を示す図である。
【発明を実施するための形態】
【００１３】
以下実施形態について図面を参照して説明する。
［第一の実施形態］
まず、第一の実施形態の生体情報入力装置について、図１を用いて説明する。図１は、第一の実施形態の生体情報入力装置の構成を示す図である。
【００１４】
生体情報入力装置１は、生体情報の入力をおこなう入力装置である。生体情報は生体６に固有の情報であり、生体６を有する個人の識別に用いる情報である。生体情報は、たとえば、指紋、掌形、網膜、虹彩、顔、血管、声紋、耳形、ＤＮＡなどがある。
【００１５】
生体情報入力装置１は、生体情報入力装置１の本体である本体部２と、生体６を撮影範囲に適切に案内し、支持するガイド部３とを備える。
ガイド部３は、生体６を撮影範囲に適切に案内する。ガイド部３は、本体部２に装着された状態で生体６を正位置で支持することが可能である。正位置で支持とは、生体６から生体情報を入力する際に、生体情報入力装置１が入力に適していると意図している姿勢で支持することである。また、ガイド部３は、本体部２に着脱自在である。また、ガイド部３は、標識部３ａを備える。標識部３ａは、本体部２へのガイド部３の装着状態の判別に用いられる。
【００１６】
本体部２は、生体情報入力装置１の本体である。本体部２は、ガイド部３を支持する。本体部２は、撮影部４と判定部５とを備える。
撮影部４は、ガイド部３が本体部２に装着された状態の標識部３ａと、ガイド部３により支持された生体６とを撮影範囲に含めた撮影画像４ａを撮影可能である。
【００１７】
判定部５は、撮影画像４ａに含まれる標識部３ａにもとづいて、本体部２へのガイド部３のガイド部装着状態７を判定し、撮影画像４ａに含まれる生体６にもとづいて、ガイド部３による生体６の生体支持状態８を判定する。
【００１８】
ガイド部装着状態７とは、ガイド部３の本体部２への装着状態である。ガイド部装着状態７には、正常な装着状態と、異常な装着状態とがある。また、本体部２に対してガイド部３が正常に装着されている場合であっても、生体６との関係で正しい種別のガイド部３が用いられていない場合に、異常な装着状態となる。
【００１９】
生体支持状態８とは、ガイド部３による生体６の支持状態である。生体支持状態８には、正常な支持状態と異常な支持状態とがある。
上記第一の実施形態によれば、生体情報入力装置１は、生体情報を入力する際に、生体６と、ガイド部３が装着された状態の標識部３ａとを撮影範囲に含めた撮影画像４ａを撮影可能である。また、生体情報入力装置１は、撮影画像４ａにもとづいて、ガイド部装着状態７と生体支持状態８とを判定することができる。
【００２０】
生体情報入力装置１は、判定部５のガイド部装着状態７の判定において、ガイド部３が適切に装着されているか否かを判定する。したがって、生体情報入力装置１は、ガイド部装着状態７の判定結果にもとづいて本体部２へのガイド部３の適切な装着を可能にする。たとえば、生体情報入力装置１は、ガイド部３が適切に装着されていない場合に、表示やアラームなどによりガイド部３の装着状態を報知することができる。
【００２１】
また、生体情報入力装置１は、判定部５の生体支持状態８の判定において、ガイド部３により生体６が適切に支持されているか否かを判定する。したがって、生体情報入力装置１は、生体支持状態８の判定結果にもとづいて生体６を適切に支持可能なガイド部３の選択を可能にする。たとえば、生体情報入力装置１は、ガイド部３により生体６が適切に支持されていない場合に、表示やアラームなどにより生体６の支持状態を報知することができる。
【００２２】
これらによれば、生体情報入力装置１は、ガイド部３を適切に装着した状態のもと、ガイド部３によって利用者の生体６を適切に支持し、利用者の生体情報を入力することができる。
【００２３】
［第二の実施形態］
次に、より具体的に第二の実施形態について説明をおこなう。図２は、第二の実施形態の生体情報入力装置の外観図である。図３は、第二の実施形態の本体部の外観図である。図４は、第二の実施形態のガイドの外観図である。
【００２４】
生体情報入力装置１１は、生体情報として手のひらの静脈の撮影画像を入力する入力装置である。生体情報入力装置１１は、入力した生体情報をテンプレートとして登録する場合に、登録装置または登録装置の一部として機能する。また、生体情報入力装置１１は、入力した生体情報を、あらかじめ登録してあるテンプレートと照合し、本人認証をおこなう場合に、認証装置または認証装置の一部として機能する。
【００２５】
生体情報入力装置１１は、たとえば、金融機関の窓口等で用いられる。生体情報入力装置１１は、本体部１２と、本体部１２に対して着脱自在なガイド１３を備える。すなわち、生体情報入力装置１１は、不使用時の収納に便利なように、本体部１２に対してガイド１３を分離可能にして、窓口等における使用時に、本体部１２に対してガイド１３を装着可能にしている。
【００２６】
本体部１２は、生体情報入力装置１１の本体であり、ガイド１３を装着可能にしている。本体部１２は、表示部１４とＭＳ（Magnetic Stripe：磁気ストライプ）リーダ１５とＩＣ（Integrated Circuit）リーダライタ１６と操作部１７と手首ガイド１８と手首支持部１９と静脈センサ２０と指ガイド２１とを上面（手のひらに対向する面）に備える。
【００２７】
表示部１４は、情報を表示する。表示部１４は、たとえば、ＬＣＤ（Liquid Crystal Display：液晶ディスプレイ）からなり、ガイド１３の装着状態の判定結果や生体の支持状態の判定結果を表示する。また、表示部１４は、入力された暗証番号入力桁数を表示する。
【００２８】
ＭＳリーダ１５は、磁気ストライプカードをリーダ内でスライドさせることで情報を読取る入力機器である。磁気ストライプカードは、たとえば、キャッシュカードやＩＤ（IDentification）カードなどがある。
【００２９】
ＩＣリーダライタ１６は、集積回路（ＩＣ）を組み込んだＩＣカードから所要の情報を読出し、あるいは所要の情報の書き込みをおこなう入出力機器である。ＩＣカードは、たとえば、キャッシュカードやＩＤカードなどがある。
【００３０】
生体情報入力装置１１は、たとえば、ＭＳリーダ１５またはＩＣリーダライタ１６により利用者のカードから識別情報を取得し、取得した識別情報にもとづいて利用者があらかじめ登録している情報を取得する。
【００３１】
操作部１７は、生体情報入力装置１１の操作を受け付ける。操作部１７は、「０」から「９」までの数字ボタンと、確定ボタンと、訂正ボタンとを含んで構成される。操作部１７は、たとえば、数字ボタンと確定ボタンと訂正ボタンから暗証番号の入力操作をおこなうことができる。なお、操作部１７は、ＬＣＤとタッチパネルで構成されていてもよい。
【００３２】
手首ガイド１８は、本体部１２の上面に設けられる。手首ガイド１８は透明な樹脂製であり、前方起立壁１８ａと側方起立壁１８ｂと手首支持部１９とを含んで構成される。
手首ガイド１８は、本体部１２の上面であって、操作部１７および表示部１４の奥手側に前方起立壁１８ａを備える。前方起立壁１８ａは、操作部１７および表示部１４と、静脈センサ２０との間に設けられ、操作部１７および表示部１４と、静脈センサ２０とを区画する。前方起立壁１８ａは、所要の高さがあり、操作部１７および表示部１４を静脈センサ２０の方向から観察できないようにする目隠しとして機能する。
【００３３】
前方起立壁１８ａは、静脈センサ２０の方向から操作部１７および表示部１４を視認不能または視認困難に塗装されている。なお、前方起立壁１８ａは、透過率の低い材質、屈折率の大きな形状、または遮蔽シールの貼付や凹凸加工などの表面処理によって、静脈センサ２０の方向からの視認性を低下させるものであってもよい。
【００３４】
手首ガイド１８は、静脈センサ２０に翳される手の手首を支持する手首支持部１９を、前方起立壁１８ａの上端に備える。手首支持部１９は、手首に合わせた曲面形状であり、手首の位置、傾きを規制して、手のひらを静脈センサ２０の撮影範囲に的確に誘導する。また、手首支持部１９は、前方起立壁１８ａの上端から操作部１７の方向に庇状にせり出す。これにより、手首支持部１９は、静脈センサ２０の方向の比較的高い視点から、操作部１７および表示部１４を目隠しする機能を有する。たとえば、手首ガイド１８は、表示部１４の直上に手首支持部１９を備えることで、生体情報入力装置１１の上方からの覗きこみに対しても表示部１４を目隠しすることができる。これにより、金融機関の窓口で対面する係員が生体情報入力装置１１の操作説明を身を乗り出しておこなうような場合であっても、顧客の入力内容や入力操作は、係員に対して目隠しされる。
【００３５】
このように、生体情報入力装置１１は、手首支持部１９が前方起立壁１８ａの上端から操作部１７の方向に庇状にせり出すことで、前方起立壁１８ａの高さを抑制しながら操作部１７および表示部１４を目隠しする機能を向上している。
【００３６】
手首ガイド１８は、前方起立壁１８ａの両側に側方起立壁１８ｂを備える。側方起立壁１８ｂは、前方起立壁１８ａと同様に透明な樹脂製であり、生体情報入力装置１１の左右方向から操作部１７および表示部１４を視認不能または視認困難に塗装されている。したがって、前方起立壁１８ａおよび側方起立壁１８ｂは、生体情報入力装置１１の前方（手前側）および上方を開放したフード状の目隠しとなり、暗証番号の入力操作および入力内容を第三者が覗き見ることを防止する。
【００３７】
また、前方起立壁１８ａおよび側方起立壁１８ｂは、一体成形により剛性が向上する。前方起立壁１８ａと一体成形された側方起立壁１８ｂは、本体部１２の上面から操作部１７の方向に傾いて起立する前方起立壁１８ａの倒れを防止する。これにより、生体情報入力装置１１は、手首支持部１９による手首支持の安定感を向上させている。
【００３８】
静脈センサ２０は、手のひらを撮影するイメージセンサ（たとえば、ＣＭＯＳ（Complementary Metal Oxide Semiconductor）センサ、ＣＣＤ（Charge Coupled Device）センサなど）と、集光レンズと、被写体に照射して被写体との距離を測距するための複数の発光素子（ＬＥＤ：Light Emitting Diode）とを備える。また、静脈センサ２０は、ガイド１３が適切に装着されている場合に、生体と、ガイド１３の標識２５とを撮影範囲に含めた撮影画像を撮影可能である。
【００３９】
指ガイド２１は、手のひらを静脈センサ２０で撮影する際に上端で指を支持する。指ガイド２１は、本体部１２から垂直に起立した起立壁である。指ガイド２１は、矩形かつ板状である。指ガイド２１は、静脈センサ２０を挟んで利用者に対向した位置に、本体部１２の短手方向に平行となるように設置される。
【００４０】
ガイド１３は、本体部１２へ着脱可能であり、本体部１２へ適切に装着された場合に、手のひらを正位置で支持する。ガイド１３は、生体情報入力装置１１が手のひらの静脈像を安定して取得可能にするために用いられる。ガイド１３は、矩形の底部３０と、底部３０の四辺から起立した前方壁３１と、後方壁３２と、２つの側方壁３３（３３ａ、３３ｂ）とから形成される、上方を解放した箱形（逆四角錐台）状である。
【００４１】
底部３０は、窓部２４と、スリット３４とを備える。窓部２４は、底部３０の中央に設けられる。窓部２４は、装着時に静脈センサ２０に対応する位置にあたり、矩形に開口した領域内に静脈センサ２０を内包する大きさを有する。スリット３４は、底部３０において前方壁３１に沿って設けられる。スリット３４は、ガイド１３の装着時に指ガイド２１に対応する位置にあり、指ガイド２１を挿通可能な大きさと形状を有する。
【００４２】
前方壁３１は、三指支持部２３を備える。三指支持部２３は、前方壁３１の上端に設けられ、手のひらを静脈センサ２０で撮影する際に三指（人差し指、中指、薬指）を支持する。三指支持部２３は、本体部１２へガイド１３が適切に装着された場合に、三指を正位置で支持することが可能である。
【００４３】
側方壁３３は、標識２５と、種別標識２６と、第１指／第５指支持部２２ａ、２２ｂとを備える。第１指／第５指支持部２２ａ、２２ｂは、側方壁３３の上端に設けられ、手のひらを静脈センサ２０で撮影する際に第１指（親指）、第５指（小指）をそれぞれ支持する。第１指／第５指支持部２２ａ、２２ｂは、本体部１２へガイド１３が適切に装着された場合に、第１指および第５指を正位置で支持することが可能である。
【００４４】
標識２５は、本体部１２へのガイド１３の装着の装着状態の判別に用いられる標識である。標識２５は、本体部１２へ適切にガイド１３が装着された場合に、静脈センサ２０が生体と標識２５とを撮影範囲に含めた撮影画像を撮影することが可能な位置にある。標識２５は、たとえば、マーキングやシールや塗装などであってもよいし、ガイド１３の切削痕であってもよく、さまざまな態様をとり得る。また、標識２５は、たとえば、矩形や円形などであってもよいし、ガイド１３内部を一周する線であってもよく、さまざまな形状をとり得る。
【００４５】
標識２５は、矩形状に付されたマーキングであり、それぞれの側方壁の複数箇所に付されている。標識２５は、側方壁３３ａと３３ｂとが対向する面（箱形状の内壁）にある。標識２５ａと標識２５ｂは、それぞれ側方壁３３ａ、３３ｂの対向面に、対となって設けられる。対となる標識２５ａ、２５ｂは、それぞれが略同一形状である。対となる標識２５ａ、２５ｂは、ガイド１３が適切に本体部１２へ装着された場合に、静脈センサ２０から略同一距離の位置にある。なお、標識２５ａ、２５ｂは、側方壁３３ａ、３３ｂのそれぞれに１つ以上設けることができる。なお、ガイド１３は、標識２５を後方壁３２に備えてもよい。
【００４６】
種別標識２６は、ガイド１３の種別を表す標識であり、ガイド１３の種別の特定に用いられる。たとえば、ガイド１３の種別は、子供用や大人用などのサイズの種別や、左手用や右手用などの形状の種別などがある。
【００４７】
種別標識２６は、本体部１２へ適切にガイド１３が装着された場合に、静脈センサ２０が生体と種別標識２６とを撮影範囲に含めた撮影画像を撮影可能な位置にある。種別標識２６は、側方壁３３において、側方壁３３ａ、３３ｂとが対向する面（箱形状の内壁）にある。種別標識２６は、側方壁３３ａにある。種別標識２６は、たとえば、ラインを内部に含む矩形のマーキングであり、ガイド１３の種別を特定可能であればよく、円形や三角形など、その他の形状のマーキングであってもよい。また、種別標識２６は、バーコードや、二次元バーコード、その他の符号や、文字などであってもよい。
【００４８】
なお、種別標識２６は、これに限らず、異なるガイドの種別を特定可能であればよく、さまざまな態様（色彩や、模様など）、さまざまな形状（凹形状、凸形状など）をとり得る。なお、ガイド１３は、独立して種別標識２６を備えずに、標識２５に種別標識２６の機能を含ませてもよい。この場合に、ガイド１３は、たとえば、内部にラインを有した標識を備えることで、標識２５に種別標識２６の機能を持たせることができる。なお、種別標識２６は、側方壁３３ｂにあってもよいし、側方壁３３ａと側方壁３３ｂのそれぞれにあってもよいし、後方壁３２にあってもよい。
【００４９】
次に第二の実施形態の生体情報入力装置のハードウェアの構成について図５を用いて説明をおこなう。図５は、第二の実施形態の生体情報入力装置のハードウェアの構成を示す図である。
【００５０】
生体情報入力装置１１は、制御部５０によって装置全体が制御されている。生体情報入力装置１１は、制御部５０と、通信部５１と、記憶部５２と、画像処理部５３と、暗号化処理部５４と、入出力インタフェース部５５とを備える。制御部５０は、各処理部を統括的に制御する。通信部５１は、コンピュータと接続し、データの送受信をする。記憶部５２は、所要の情報を一時的に記憶する。画像処理部５３は、画像情報について画像処理をおこなう。暗号化処理部５４は、所要の情報を暗号化する。
【００５１】
通信部５１は、たとえば、ホストコンピュータとネットワークで接続した窓口端末（コンピュータ）と接続し、ホストコンピュータと登録情報の送受信をする。なお、通信部５１は、ホストコンピュータと直接接続してもよい。
【００５２】
制御部５０は、たとえば、ＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。また制御部５０は、ＣＰＵ、ＭＰＵ、ＤＳＰ、ＡＳＩＣ、ＰＬＤのうちの２以上の要素の組み合わせであってもよい。
【００５３】
記憶部５２は、たとえば、主記憶装置のＲＡＭと補助記憶装置のＨＤＤとにより構成される。ＲＡＭには、制御部５０に実行させるＯＳ（Operating System）のプログラムやアプリケーションプログラムの少なくとも一部が一時的に格納される。また、ＲＡＭには、制御部５０による処理に必要な各種データが格納される。ＨＤＤは、内蔵したディスクに対して、磁気的にデータの書き込みおよび読出しをおこなう。ＨＤＤには、ＯＳのプログラム、アプリケーションプログラム、および各種データが格納される。なお、補助記憶装置としては、フラッシュメモリなどの半導体記憶装置を使用することもできる。
【００５４】
入出力インタフェース部５５は、静脈センサ２０と、操作部１７と、表示部１４と、ＩＣリーダライタ１６と、ＭＳリーダ１５と、ＳＡＭ（Security Access Module）部５６を接続する。ＳＡＭ部５６は、生体情報入力装置１１のセキュリティを担保する。たとえば、ＳＡＭ部５６は、生体情報入力装置１１を一意に特定可能な識別情報を記憶して生体情報入力装置１１の正当性の保証をおこなったり、暗号鍵または復号鍵を記憶して生体情報入力装置１１が入出力をおこなう情報の暗号化または復号化をおこなったりする。
【００５５】
このような構成により、生体情報入力装置１１は、手のひらの静脈像の入力、利用者による操作入力、ＩＣカードに記録された所要の情報の入力、ＭＳカードに記録された所要の情報の入力をおこなうことができる。
【００５６】
次に第二の実施形態における静脈センサ２０の撮影範囲について図６、図７、図８を用いて説明をおこなう。図６は、第二の実施形態の撮影範囲の俯瞰図である。図７は、第二の実施形態の撮影範囲の俯瞰図をＸ−Ｘで切断した切断面の模式図である。図８は、第二の実施形態の撮影範囲の俯瞰図をＹ−Ｙで切断した切断面の模式図である。
【００５７】
生体情報入力装置１１は、撮影範囲Ａを静脈センサ２０で撮影する。撮影範囲Ａは、静脈センサ２０の撮影範囲である。撮影範囲Ａは、静脈センサ２０の画角（視野角）により決定される。撮影範囲Ａは、生体情報入力装置１１が、生体６０を手首支持部１９と三指支持部２３と第１指／第５指支持部２２ａ、２２ｂとで正位置で支持することで、手のひらと、４つの指股とを含む。
【００５８】
静脈センサ２０は、左右方向（図６の横方向）に画角Ｂ（視野角）であり、前後方向（図６の縦方向）に画角Ｃ（視野角）である。静脈センサ２０は、画角Ｂにより、適切な装着状態のガイド１３の標識２５ａと、標識２５ｂと、生体６０の生体情報取得部位とを含む撮影範囲Ａを有する。また、静脈センサ２０は、画角Ｃにより、適切な装着状態のガイド１３の後方壁３２の一部と、生体６０と指ガイド２１の一部とを含む撮影範囲Ａを有する。
【００５９】
なお、静脈センサ２０は、後方壁３２に標識２５を備える場合、適切な装着状態のガイド１３の後方壁３２に備えられる標識２５を撮影範囲Ａに含む画角とすることができる。なお、静脈センサ２０の画角Ｂと画角Ｃとは、画角の大きさが同じであってもよい。
【００６０】
次に、第二の実施形態におけるガイド１３の装着例について図９を用いて説明をおこなう。図９は、第二の実施形態のガイドの装着例を示す図である。
図９（Ａ）は、本体部１２へのガイド１３の適切な装着状態における生体情報入力装置１１の背面図である。生体情報入力装置１１は、三指支持部２３の上端と指ガイド２１の上端とが略一致し、ガイド１３は、本体部１２に対して正常に装着されている。
【００６１】
図９（Ａ）において、２つの側方壁３３のそれぞれの対向する位置に対となるようにある標識２５ａ、２５ｂは、静脈センサ２０から略同一距離にある。
標識２５ａ、２５ｂは、静脈センサ２０による撮影画像において、静脈センサ２０から略同一距離、略同一形状として表示される。
【００６２】
図９（Ｂ）は、本体部１２へガイド１３の不適切な装着状態における、生体情報入力装置１１の背面図である。生体情報入力装置１１は、ガイド１３が傾き、三指支持部２３の上端と指ガイド２１の上端とが一致せず、ガイド１３は、本体部１２に対して異常に装着されている。
【００６３】
図９（Ｂ）において、２つの側方壁３３のそれぞれの対向する位置に対となるようにある標識２５ａ、２５ｂは、ガイド１３の傾きにより、静脈センサ２０から略同一距離にない。
【００６４】
標識２５ａ、２５ｂは、静脈センサ２０による撮影画像において、異なる形状として表示される。
次に、第二の実施形態における登録処理について図１０を用いて説明をおこなう。図１０は、第二の実施形態の登録処理のフローチャートである。
【００６５】
生体情報入力装置１１は、生体認証に用いる生体情報を登録（テンプレート登録）する際に、登録処理をおこなう。生体情報入力装置１１は、登録処理において、生体６０とガイド１３とを含めた撮影画像を撮影し、撮影画像を判定し、登録に適している場合にガイド１３の種別と生体情報を併せて登録する。
【００６６】
［ステップＳ１１］制御部５０は、ユーザＩＤとパスワードを取得する。たとえば、制御部５０は、ＩＣリーダライタ１６に挿入されたＩＣカードからユーザＩＤを読取り、操作部１７から入力されるパスワードを取得する。ユーザＩＤは、個人を識別するための識別情報であり、利用者に直接的（たとえば、利用者番号）に、あるいは間接的（たとえば、口座番号）に付されたユニークなＩＤである。
【００６７】
［ステップＳ１２］制御部５０は、ユーザＩＤとパスワードとからユーザ認証をおこなう。制御部５０は、認証の成否を判定する。制御部５０は、認証成功（認証ＯＫ）と判定した場合にステップＳ１３へすすみ、認証失敗（認証ＮＧ）と判定した場合に登録処理を終了する。
【００６８】
［ステップＳ１３］制御部５０は、静脈センサ２０に対して撮影指示をおこない、静脈センサ２０から撮影画像を取得する。
［ステップＳ１４］制御部５０は、撮影した撮影画像にもとづいて、判定処理をおこなう。制御部５０は、判定処理において、ガイド１３の種別と、ガイド１３の装着状態と、生体６０の支持状態とを判定する。判定処理については、後で図１１を用いて詳細に説明する。
【００６９】
［ステップＳ１５］制御部５０は、判定処理の結果にもとづいて、ガイド１３の装着状態が正常か否かを判定する。制御部５０は、ガイド１３の装着状態が正常である場合にステップＳ１６へすすみ、ガイド１３の装着状態が正常でない場合にステップＳ１８へすすむ。
【００７０】
［ステップＳ１６］制御部５０は、判定処理の結果にもとづいて、生体６０の支持状態が正常か否かを判定する。制御部５０は、生体６０の支持状態が正常である場合にステップＳ１７へすすみ、生体６０の支持状態が正常でない場合にステップＳ１８へすすむ。
【００７１】
［ステップＳ１７］制御部５０は、撮影が規定回数おこなわれたか否かを判定する。制御部５０は、撮影を規定回数おこなっている場合にステップＳ１９へすすみ、撮影を規定回数おこなっていない場合にステップＳ１８へすすむ。
【００７２】
［ステップＳ１８］制御部５０は、再撮影をおこなうことを報知する。生体情報入力装置１１は、たとえば、表示部１４に表示する情報（イメージや文字）により報知をおこなうことができるほか、図示しないスピーカから出力する音声により報知をおこなうことができる。
【００７３】
制御部５０は、ガイド１３の装着状態が正常でない場合に、ガイド１３の正常な装着方法の案内を所要の出力部に指示する。また、制御部５０は、生体６０の支持状態が正常でない場合に、ガイド１３への生体６０の正常な載置方法の案内を所要の出力部に指示する。また、制御部５０は、ガイド１３の種別が適切でない場合に、ガイド１３の種別の変更を促す案内を所要の出力部に指示する。
【００７４】
なお、生体情報入力装置１１は、上記した情報の報知に限らず、判定結果によって報知することが必要となった情報を報知することができる。たとえば、生体情報入力装置１１は、判定理由を含めて判定結果を報知してもよいし、次に装着すべきガイド１３の種別を報知してもよいし、ガイド１３の本体部１２への装着手順を報知してもよい。
【００７５】
［ステップＳ１９］制御部５０は、撮影画像から取得した生体情報（静脈パターン）とガイド１３の種別とを併せて登録する（登録テンプレートを作成する）。たとえば、制御部５０は、ホストコンピュータに生体情報とガイド１３の種別を併せて登録する。生体情報入力装置１１は、ガイド１３の種別と生体情報とを登録することで、利用者が照合をおこなう際に、登録時に用いたガイド１３の種別を案内することができる。制御部５０は、生体情報を登録し終えると、登録処理を終了する。
【００７６】
なお、制御部５０は、ホストコンピュータに代えて、あるいはホストコンピュータに加えて、ＩＣカード等に生体情報とガイド１３の種別を併せて登録してもよい。
なお、生体情報入力装置１１は、両手を撮影して、両手の生体情報を登録するようにしてもよい。この場合、生体情報入力装置１１は、照合時に左右どちらの手でも照合をおこなうことができる。
【００７７】
次に、第二の実施形態における判定処理について図１１を用いて説明をおこなう。図１１は、第二の実施形態の判定処理のフローチャートである。
生体情報入力装置１１は、判定処理を登録処理のステップＳ１４でおこなう。生体情報入力装置１１は、判定処理において、ガイド１３の種別と、ガイド１３の装着状態と、生体６０の支持状態を判定する。
【００７８】
［ステップＳ２１］制御部５０は、静脈センサ２０が撮影した生体６０とガイド１３を撮影範囲Ａに含む撮影画像を、静脈センサ２０から取得する。
［ステップＳ２２］制御部５０は、画像処理部５３に対して加工（画像処理）指示をおこない、画像処理部５３から加工された撮影画像（加工画像）を取得する。画像処理部５３は、撮影画像を画像処理することで制御部５０における所要の判定を容易にする。画像処理は、たとえば、二値化があり、他にノイズ除去や、明度調整などがある。画像処理部５３は、撮影画像の二値化において、生体６０と標識２５と種別標識２６とを白（または黒）で表し、それ以外の画像を黒（または白）で表す。
撮影画像を二値化することで、制御部５０は、撮影画像から検出対象を容易に特定できる。また、制御部５０は、撮影画像からノイズを除去し、情報量を減らす。したがって、制御部５０は、撮影画像から検出対象を高速で抽出できる。
【００７９】
制御部５０は、加工画像に含まれる生体６０と種別標識２６と標識２５とを取得する。撮影画像の二値化については、後で図１２、図１３を用いて詳細に説明する
［ステップＳ２３］制御部５０は、加工画像を用いてガイド種別を判定する、ガイド種別判定処理をおこなう。ガイド種別判定処理については、後で図１４を用いて詳細に説明する。
【００８０】
［ステップＳ２４］制御部５０は、加工画像を用いてガイド装着状態を判定する、ガイド装着状態判定処理をおこなう。ガイド装着状態判定処理については、後で図１６を用いて詳細に説明する。
【００８１】
［ステップＳ２５］制御部５０は、加工画像を用いて生体支持状態を判定する、生体支持状態判定処理をおこなう。生体支持状態判定処理については、後で図２０を用いて詳細に説明をする。制御部５０は、生体支持状態判定処理の実行後に判定処理を終了する。
【００８２】
次に、第二の実施形態における二値化について図１２、図１３を用いて説明をおこなう。図１２は、第二の実施形態の標識の二値化の一例である。図１３は、第二の実施形態の二値化後の撮影画像の一例を示す図である。
【００８３】
図１２は、ガイド１３の標識２５および種別標識２６の周辺の二値化画像である。二値化画像は、側方壁３３ａに平行な方向から撮影した撮影画像を、画像処理部５３により二値化した画像である。生体情報入力装置１１は、判定処理のステップＳ２２において、標識２５ａと種別標識２６とをガイド１３と異なる値（色）に加工する。標識２５ａと種別標識２６とをガイド１３と区別可能にすることで、生体情報入力装置１１は、二値化された撮影画像から標識７５と種別標識７６とを特定できる。標識７５は、標識２５ａが二値化された画像である。種別標識７６は、種別標識２６が二値化された画像である。
【００８４】
なお、制御部５０は、種別標識２６の内部に引かれたラインの本数でガイド１３の種別を特定する。
撮影画像８０は、ガイド１３が本体部１２に適切に装着された状態で、ガイド１３によって正位置で支持された生体６０を撮影した画像である。撮影画像８０は、生体画像８１と種別標識８２と標識８３ａ、８３ｂとを含む。
【００８５】
生体画像８１は、ガイド１３によって生体６０が正位置で支持されている状態である。生体画像８１は、手のひらと、４つの指股とを含む。
種別標識８２は、種別標識２６が二値化された画像である。標識８３ａは、側方壁３３ａに付された標識２５ａが二値化された画像である。標識８３ｂは、側方壁３３ｂに付された標識２５が二値化された画像である。
【００８６】
種別標識８２は、静脈センサ２０からの撮影距離により、種別標識２６が歪んだ形状となる。種別標識８２は、中心方向に傾いて歪んだ四角形となる。
標識８３ａ、８３ｂは、静脈センサ２０の撮影距離により、標識２５が歪んだ形状となる。標識８３ａ、８３ｂは、中心方向に傾いて歪んだ四角形となる。また、対となる標識８３ａと標識８３ｂとは、生体画像８１を挟んで左右に表示される。また、対となる標識８３ａと標識８３ｂとは、中心方向に向かって対称な傾きで歪む。したがって、対となる標識８３ａと標識８３ｂは、対称な位置に、対称な形状で表示される。
【００８７】
次にガイド１３の種別の判定について図１４、図１５を用いて説明する。まず、第二の実施形態のガイド種別判定処理について図１４を用いて説明する。図１４は、第二の実施形態のガイド種別判定処理のフローチャートである。生体情報入力装置１１は、ガイド種別判定処理を、図１１の判定処理のステップＳ２３でおこなう。生体情報入力装置１１は、ガイド種別判定処理において、撮影画像から種別標識を読取り、読取った種別標識にもとづいてガイド１３の種別を判定する。
【００８８】
［ステップＳ３１］制御部５０は、画像処理部５３に対して種別標識の読取り指示をおこない、画像処理部５３から種別標識を取得する。なお、画像処理部５３は、加工画像から種別標識の位置を特定し、種別標識を制御部５０に応答する。
【００８９】
［ステップＳ３２］制御部５０は、種別標識に含まれるライン数（ガイド種別識別情報）を特定する。
［ステップＳ３３］制御部５０は、ライン数にもとづいてガイド１３の種別を特定し、ガイド種別判定処理を終了する。
【００９０】
なお、制御部５０が種別標識に含まれるライン数を特定するようにしたが、画像処理部５３がライン数を特定し、制御部５０が画像処理部５３からライン数を取得するようにしてもよい。
【００９１】
また、制御部５０は、ライン数を特定してからガイド１３の種別を特定するようにしたが、あらかじめ登録してあるテンプレート画像と、種別標識とを照合することでガイド１３の種別を特定するようにしてもよい。
【００９２】
次に、第二の実施形態のガイド種別判定の一例について、図１５を用いて説明する。図１５は、第二の実施形態の二値化後の種別標識の一例を示す図である。
図１５（Ａ）は、３本のラインを有する種別標識９１を含む撮影画像９０を示す。生体情報入力装置１１は、画像処理部５３を介して撮影画像９０から種別標識９１を取得し、種別標識９１に含まれるライン数が３本であることを特定する。生体情報入力装置１１は、ライン数「３本」にもとづいて、たとえば、ガイド１３の種別が子供用であることを特定する。
【００９３】
図１５（Ｂ）は、２本のラインを有する種別標識９６を含む撮影画像９５を示す。生体情報入力装置１１は、画像処理部５３を介して撮影画像９５から種別標識９６を取得し、種別標識９６に含まれるライン数が２本であることを特定する。生体情報入力装置１１は、ライン数「２本」にもとづいて、たとえば、ガイド１３の種別が大人用であることを特定する。
【００９４】
図１５（Ｃ）は、１本のラインを有する種別標識１０１を含む撮影画像１００を示す。生体情報入力装置１１は、画像処理部５３を介して撮影画像１００から種別標識１０１を取得し、種別標識１０１に含まれるライン数が１本であることを特定する。生体情報入力装置１１は、ライン数「１本」にもとづいて、たとえば、ガイド１３の種別が左手用であることを特定する。
【００９５】
このようにして、生体情報入力装置１１は、生体情報入力時に装着されているガイド１３の種別を特定することができる。これにより、生体情報入力装置１１は、利用者にとって適切なガイド１３の種別を保持しておくことで、利用者が不適切な種別のガイド１３を装着したときに注意喚起をおこなうことができる。
【００９６】
次にガイド１３の装着状態の判定について図１６、図１７、図１８、図１９を用いて説明をする。まず、第二の実施形態のガイドの装着状態判定処理について図１６を用いて説明する。図１６は、第二の実施形態のガイド装着状態判定処理のフローチャートである。
【００９７】
生体情報入力装置１１は、図１１の判定処理のステップＳ２４において、ガイド装着状態判定処理をおこなう。生体情報入力装置１１は、ガイド装着状態判定処理において、撮影画像から標識を読取り、読取った標識にもとづいて、ガイド１３の装着状態を判定する。
【００９８】
［ステップＳ４１］制御部５０は、画像処理部５３に対して標識の読取り指示をおこない、画像処理部５３から標識を取得する。なお、画像処理部５３は、加工画像から標識の位置を特定し、標識を制御部５０に応答する。
【００９９】
［ステップＳ４２］制御部５０は、撮影画像の標識の数が、所定数であるか否かを判定する。制御部５０は、ガイド１３が適切に装着されている場合に、撮影画像から標識２５と同数の標識を取得可能である。したがって、制御部５０は、標識２５と同数の標識を取得することができない場合には、ガイド１３が適切に装着されていないと判定する。
【０１００】
制御部５０は、所定数の標識を取得した場合にステップＳ４３へすすみ、所定数の標識を取得できなかった場合にステップＳ４６へすすむ。
［ステップＳ４３］制御部５０は、対となる標識の形状を比較し、形状が一致するか否かを判定する。対となる標識は、ガイド１３が適切に装着された状態において、静脈センサ２０からの撮影距離が略一致し、同様の傾きで（中心方向に向かって対称な形状）歪む。
【０１０１】
したがって、制御部５０は、撮影画像の対となる標識が異なる形状となっている場合に、ガイド１３が適切に装着されていないと判定する。
制御部５０は、撮影画像の対となる標識の形状が一致すると判定した場合にステップＳ４４へすすみ、撮影画像の対となる標識の形状が一致しないと判定した場合にステップＳ４６へすすむ。
【０１０２】
なお、制御部５０は、取得した標識の形状を比較して、形状が一致するか否かを判定したが、あらかじめ登録してあるテンプレート画像と、標識とを照合することで装着状態の判定をおこなってもよい。
【０１０３】
［ステップＳ４４］制御部５０は、撮影画像の対となる標識の表示位置を比較し、表示位置が対称であるか否かを判定する。対となる標識は、ガイド１３が適切に装着された状態において、撮影画像の左右に生体画像を挟んで対称な表示位置にある。
【０１０４】
したがって、制御部５０は、対となる標識が撮影画像の左右に生体を挟んで対称な表示位置にない場合に、ガイド１３が適切に装着されていないと判定する。
制御部５０は、対となる標識が撮影画像の左右に生体を挟んで対称な表示位置にある場合にステップＳ４５へすすみ、対となる標識が撮影画像の左右に生体を挟んで対称な表示位置にない場合にステップＳ４６へすすむ。
【０１０５】
なお、制御部５０は、取得した標識の表示位置を比較して、表示位置が対称であるか否かを判定したが、あらかじめガイド１３が適切に装着された状態における表示位置を設定し、設定した表示位置に表示されるか否かを判定してもよい。
【０１０６】
［ステップＳ４５］制御部５０は、ガイド１３の装着状態を正常であると判定（正常判定）し、ガイド装着状態判定処理を終了する。
［ステップＳ４６］ガイド１３が本体部１２に適切に装着されていないと判定（異常判定）し、ガイド装着状態判定処理を終了する。
【０１０７】
次に第二の実施形態のガイド装着状態の判定の一例について、図１７、図１８、図１９を用いて説明する。図１７は、第二の実施形態のガイドが適切に装着された状態の撮影画像の一例を示す図である。図１８、図１９は、第二の実施形態のガイドが不適切に装着された状態の撮影画像の一例を示す図である。
【０１０８】
撮影画像１１０は、標識１１１ａと標識１１１ｂとを４つずつ含む。指先側から１番目にある標識１１１ａと標識１１１ｂ、２番目にある標識１１１ａと標識１１１ｂ、３番目にある標識１１１ａと標識１１１ｂ、４番目にある標識１１１ａと標識１１１ｂの標識が対となる。標識１１１ａと標識１１１ｂは、対応する各対が静脈センサ２０を中心にして対称位置にあり、対称形状である。したがって、生体情報入力装置１１は、ガイド装着状態判定処理において、対となる標識１１１ａと標識１１１ｂの表示位置が対称であると判定し、ガイド１３の装着状態が正常であると判定する。
【０１０９】
なお、上記例では、ガイド１３に、標識１１１ａと標識１１１ｂとが、線対称となるように標識２５ａと標識２５ｂを配置しているが、線対称かつ点対称となる位置かつ形状で標識２５ａと標識２５ｂを配置してもよい。これにより、生体情報入力装置１１は、本体部１２に対するガイド１３の、ヨーイング（水平面内での回転）、ピッチング（左右方向の回転）、およびローリング（前後方向の回転）にともなう装着異常を検出できる。
【０１１０】
撮影画像１１５は、標識１１６ａと標識１１６ｂとを４つずつ含む。標識１１６ａと標識１１６ｂは、静脈センサ２０を中心にして、対称形状でない。したがって、生体情報入力装置１１は、ガイド装着状態判定処理において、対となる標識１１６ａと１１６ｂの形状が一致しないと判定し、ガイド１３の装着状態が異常であると判定する。
【０１１１】
撮影画像１２０は、標識１２１を４つ含む。標識１２１は４つであり、ガイド１３の標識２５の数と異なる。したがって、生体情報入力装置１１は、ガイド装着状態判定処理において、標識１２１が所定数存在しないと判定し、ガイド１３の装着状態が異常であると判定する。
【０１１２】
このようにして、生体情報入力装置１１は、生体情報入力時に装着されているガイド１３の装着状態を判定することができる。これにより、生体情報入力装置１１は、ガイド１３が不適切な装着状態であることの注意喚起をおこなうことができる。
【０１１３】
次に第二の実施形態の生体６０の支持状態の判定について、図２０を用いて説明をおこなう。図２０は、第二の実施形態の生体支持状態判定処理のフローチャートである。
生体情報入力装置１１は、図１１の判定処理のステップＳ２５において、生体支持状態判定処理をおこなう。生体情報入力装置１１は、生体支持状態判定処理において、撮影画像に含まれる生体６０と標識２５にもとづいて、生体６０の支持状態を判定する。
【０１１４】
［ステップＳ５１］制御部５０は、画像処理部５３に対して手首位置基準線の取得指示をおこない、画像処理部５３から生体画像の手首位置基準線を取得する。手首位置基準線は、手首位置を横方向に横切る手首位置の基準となる線である。手首位置基準線は、生体位置情報の測定に用いられる。
【０１１５】
［ステップＳ５２］制御部５０は、画像処理部５３に対して標識の読取り指示をおこない、画像処理部５３から標識を取得する。標識は、生体位置情報の測定に用いられる。
［ステップＳ５３］制御部５０は、画像処理部５３に対して指股位置の特定の指示をおこない、画像処理部５３から４つの指股位置を取得する。４つの指股位置は、生体位置情報の測定に用いられる。
【０１１６】
［ステップＳ５４］制御部５０は、生体位置情報を測定する。生体位置情報は、生体と標識の位置関係を測定したものであり、生体支持状態の判定に用いられる。生体位置情報の測定については、図２１、図２２を用いて後で詳細に説明する。
【０１１７】
［ステップＳ５５］制御部５０は、生体位置情報が規定した範囲内であるか否かを判定する。制御部５０は、測定した生体位置情報が規定した範囲内である場合にステップＳ５６へすすみ、測定した生体位置情報が規定した範囲内でない場合にステップＳ５７へすすむ。
【０１１８】
［ステップＳ５６］制御部５０は、正常判定をする。制御部５０は、判定の結果、生体６０がガイド１３により適切に支持されており、正常な支持状態であると判定する。制御部５０は、正常判定を終えると生体支持状態判定処理を終了する。
【０１１９】
［ステップＳ５７］制御部５０は、異常判定をする。制御部５０は、判定の結果、生体６０がガイド１３により適切に支持されておらず、異常な支持状態であると判定する。制御部５０は、異常判定を終えると生体支持状態判定処理を終了する。
【０１２０】
なお、第二の実施形態では、画像処理部５３が、撮影画像を二値化するほか、撮影画像について所要の画像処理、所要の情報抽出をおこなっているが、これらの処理の一部、または全部を制御部５０が担うようにしてもよい。
【０１２１】
次に具体的に生体位置情報の測定例について図２１、図２２を用いて説明をおこなう。図２１、図２２は、第二の実施形態の生体支持状態判定処理の生体位置情報の測定方法の一例である。
【０１２２】
撮影画像１２５は生体画像１２６と標識１２７ａ、１２７ｂと切出し領域１２８ａ、１２８ｂ、１２８ｃと手首位置基準線１２９を含む。切出し領域１２８ａは、第１指と第２指の指股と、第１指とを含む領域であり、生体位置情報の測定を説明するために切出した領域である。切出し領域１２８ｂは、第２指と、第３指と、第４指とを含む領域であり、生体位置情報の測定を説明するために切出した領域である。切出し領域１２８ｃは、第４指と第５指との指股と、第４指とを含む領域であり、生体位置情報の測定を説明するために切出した領域である。手首位置基準線１２９は、手首位置の基準となる線である。
【０１２３】
制御部５０は、切出し領域１２８ａにおいて、第１指と第２指の指股と、ガイド１３の指先側にある標識１２７ａと、を結んだ線分の長さ（以下、Ｏａ値）を測定する。
Ｏａ値は、撮影画像１２５に占める手のひらの割合の判断に用いられる。具体的には、制御部５０は、Ｏａ値が小さい場合には、撮影画像１２５に占める手のひらの割合が多いと判断する。また、制御部５０は、Ｏａ値が大きい場合には、撮影画像１２５に占める手のひらの割合が少ないと判断する。
【０１２４】
したがって、制御部５０は、Ｏａ値が所定値より小さいあるいは大きい場合には、第１指／第５指支持部２２ａが生体６０の適切な位置を支持していないと判断する。具体的には、制御部５０は、Ｏａ値が所定値より大きい場合には、第１指／第５指支持部２２ａが生体６０の指先側を支持していると判断し、ガイド１３のサイズが大きいと判断する。また、制御部５０は、Ｏａ値が所定値より小さい場合には、第１指／第５指支持部２２ａが生体６０の指股側を支持していると判断し、ガイド１３のサイズが小さいと判断する。
【０１２５】
また、制御部５０は、切出し領域１２８ａにおいて、第１指と第２指との指股と、ガイド１３の指先側にある標識１２７ａとを結んだ直線と、手首位置基準線１２９に平行な直線とがなす角度（以下、角度α）を測定する。
【０１２６】
角度αは、生体６０が第１指／第５指支持部２２ａにどのように支持されているかを判断するのに用いられる。具体的には、制御部５０は、角度αが小さい場合には、生体６０が第１指／第５指支持部２２ａの三指支持部２３側で支持されていると判断する。また、制御部５０は、角度αが大きい場合には、生体６０が第１指／第５指支持部２２ａの手首支持部１９側で支持されていると判断する。
【０１２７】
したがって、制御部５０は、角度αが所定値より小さいあるいは大きい場合には、第１指／第５指支持部２２ａの適切な位置で生体６０を支持していないと判断する。具体的には、制御部５０は、角度αが所定値より大きい場合には、第１指／第５指支持部２２ａの手首支持部１９側で生体６０を支持していると判断し、ガイド１３のサイズが大きいと判断する。また、制御部５０は、角度αが所定値より小さい場合には、第１指／第５指支持部２２ａの三指支持部２３側で生体６０を支持していると判断し、ガイド１３のサイズが小さいと判断する。
【０１２８】
制御部５０は、切出し領域１２８ｂにおいて、二つの指股（第２指と第３指の指股、第３指と第４指の指股）を結んだ線分の中心と生体画像の上端（指先）とを結んだ線分の長さ（以下、Ｎａ値）を測定する。
【０１２９】
Ｎａ値は、生体画像１２６の中指の長さであり、撮影画像１２５に占める手のひら画像の割合の判断に用いられる。具体的には、制御部５０は、Ｎａ値が小さい場合には、撮影画像１２５に占める手のひらの割合が多いと判断する。また、制御部５０は、Ｎａ値が大きい場合には、撮影画像１２５に占める手のひらの割合が少ないと判断する。
【０１３０】
したがって、制御部５０は、Ｎａ値が所定値より小さいあるいは大きい場合には、三指支持部２３および指ガイド２１が生体６０の適切な位置を支持していないと判断する。具体的には、制御部５０は、Ｎａ値が所定値より大きい場合には、三指支持部２３および指ガイド２１が生体６０の指先側を支持していると判断し、ガイド１３のサイズが大きいと判断する。また、制御部５０は、Ｎａ値が所定値より小さい場合には、三指支持部２３および指ガイド２１が生体６０の指股側を支持していると判断し、ガイド１３のサイズが小さいと判断する。
【０１３１】
制御部５０は、切出し領域１２８ｃにおいて、第４指と第５指との指股と、ガイド１３の指先側にある標識１２７ｂとを結んだ線分の長さ（以下、Ｋａ値）を測定する。
Ｋａ値は、撮影画像１２５に占める手のひら画像の割合の判断に用いられる。具体的には、制御部５０は、Ｋａ値が小さい場合には、撮影画像１２５に占める手のひらの割合が多いと判断する。また、制御部５０は、Ｋａ値が大きい場合には、撮影画像１２５に占める手のひらの割合が少ないと判断する。
【０１３２】
したがって、制御部５０は、Ｋａ値が所定値より小さいあるいは大きい場合には、第１指／第５指支持部２２ｂが生体６０の適切な位置を支持していないと判断する。具体的には、制御部５０は、Ｋａ値が所定値より大きい場合には、第１指／第５指支持部２２ｂが生体６０の指先側を支持していると判断し、ガイド１３のサイズが大きいと判断する。また、制御部５０は、Ｋａ値が所定値より小さい場合には、第１指／第５指支持部２２ｂが生体６０の指股側を支持していると判断し、ガイド１３のサイズが小さいと判断する。
【０１３３】
また、制御部５０は、切出し領域１２８ｃにおいて、第４指と第５指との指股と、ガイド１３の指先側にある標識１２７ｂとを結んだ直線と、手首位置基準線１２９に平行な直線とがなす角度（以下、角度β）を測定する。
【０１３４】
角度βは、生体６０が第１指／第５指支持部２２ｂにどのように支持されているかを判断するのに用いられる。具体的には、制御部５０は、角度βが小さい場合には、生体６０が第１指／第５指支持部２２ｂの三指支持部２３側で支持されていると判断する。また、制御部５０は、角度βが大きい場合には、生体６０が第１指／第５指支持部２２ｂの手首支持部１９側で支持されていると判断する。
【０１３５】
したがって、制御部５０は、角度βが所定値より小さいあるいは大きい場合には、第１指／第５指支持部２２ｂの適切な位置で生体６０を支持していないと判断する。具体的には、制御部５０は、角度βが所定値より大きい場合には、第１指／第５指支持部２２ｂの手首支持部１９側で生体６０を支持していると判断し、ガイド１３のサイズが大きいと判断する。また、制御部５０は、角度βが所定値より小さい場合には、第１指／第５指支持部２２ｂの三指支持部２３で生体６０を支持していると判断し、ガイド１３のサイズが小さいと判断する。
【０１３６】
以上が生体位置情報の測定の具体例である。
なお、具体例は生体６０の右手の測定をおこなっているが、左手の測定も同様の測定方法で実現可能である。この場合、上記説明の第１指／第５指支持部２２ａを第１指／第５指支持部２２ｂとし、第１指／第５指支持部２２ｂを第１指／第５指支持部２２ａとすればよい。
【０１３７】
なお、制御部５０は、測定した角度を比較することで、左右どちらの手が乗せられたかを特定することもできる。この場合、角度が大きい方を角度α（親指側の角度）とし、角度が小さい方を角度β（小指側の角度）とすることで、左右どちらの手が乗せられたかを特定できる。
【０１３８】
なお、制御部５０が測定する生体位置情報はこれに限らない。たとえば、制御部５０は、撮影画像の中心線と指股との距離を測定し、生体の支持状態の判定に用いてもよいし、撮影画像の中点と指股との距離を測定し、生体の支持状態の判定に用いてもよい。また、制御部５０は、手首位置基準線１２９と標識との距離を測定し、生体の状態の判定に用いてもよい。このように制御部５０は、撮影画像から所要の生体位置情報を測定し、生体支持状態の判定に用いることができる。
【０１３９】
次に生体認証における照合処理について図２３を用いて説明する。図２３は、第二の実施形態の照合処理のフローチャートである。
制御部５０は、本人確認のために生体認証をする際に、照合処理をおこなう。制御部５０は、照合処理において、生体情報を取得し、登録テンプレートとの照合（同一性の確認）をおこなう。
【０１４０】
［ステップＳ６１］制御部５０は、ユーザＩＤを取得する。たとえば、制御部５０は、ＩＣリーダライタ１６に挿入されたＩＣカードからユーザＩＤを読取る。
［ステップＳ６２］制御部５０は、読取ったユーザＩＤにもとづいて登録テンプレート（登録した生体情報）を取得する。
【０１４１】
［ステップＳ６３］制御部５０は、静脈センサ２０に対して撮影指示をおこない、静脈センサ２０から撮影画像を取得する。
［ステップＳ６４］制御部５０は、撮影した撮影画像にもとづいて、判定処理をおこなう。制御部５０は、判定処理において、ガイド１３の種別と、ガイド１３の装着状態と、生体６０の支持状態とを判定する。
【０１４２】
［ステップＳ６５］制御部５０は、判定処理の結果にもとづいて、ガイド１３の種別が登録テンプレートのガイド１３の種別と同じ種別か否かを判定する。制御部５０は、ガイド１３の種別が同じと判定した場合に、ステップＳ６６へすすみ、ガイド１３の種別が同じでないと判定した場合に、ステップＳ７０へすすむ。
【０１４３】
［ステップＳ６６］制御部５０は、判定処理の結果にもとづいて、ガイド１３の装着状態が正常か否かを判定する。制御部５０は、ガイド１３の装着状態が正常であると判定した場合にステップＳ６７へすすみ、ガイド１３の装着状態が正常でないと判定した場合にステップＳ７０へすすむ。
【０１４４】
［ステップＳ６７］制御部５０は、判定処理の結果にもとづいて、生体６０の支持状態が正常か否かを判定する。制御部５０は、生体６０の支持状態が正常であると判定した場合にステップＳ６８へすすみ、生体６０の支持状態が正常でないと判定した場合にステップＳ７０へすすむ。
【０１４５】
［ステップＳ６８］制御部５０は、撮影が規定回数おこなわれたか否かを判定する。制御部５０は、撮影を規定回数おこなった場合にステップＳ６９へすすみ、撮影を規定回数おこなっていない場合にステップＳ７０へすすむ。
【０１４６】
［ステップＳ６９］制御部５０は、撮影により取得した生体情報と、登録テンプレートとが一致するか否かを判定する。制御部５０は、照合により生体情報が一致すると判定した場合にステップＳ７１へすすみ、照合により生体情報が一致しないと判定した場合にステップＳ７２へすすむ。
【０１４７】
［ステップＳ７０］制御部５０は、再撮影をおこなうことを報知する。生体情報入力装置１１は、たとえば、表示部１４に表示する情報（イメージや文字）により報知をおこなうことができるほか、図示しないスピーカから出力する音声により報知をおこなうことができる。
【０１４８】
制御部５０は、登録時とガイド１３の種別が同じでない場合に、適切な種別のガイド１３への変更を促す案内を所要の出力部に指示する。また、制御部５０は、ガイド１３の装着状態が正常でない場合に、ガイド１３への生体６０の正常な載置方法の案内を所要の出力部に指示する。
【０１４９】
なお、生体情報入力装置１１は、上記した情報の報知に限らず、判定結果によって報知することが必要となった情報を報知することができる。たとえば、生体情報入力装置１１は、判定理由を含めて判定結果を報知してもよいし、ガイド１３の本体部１２への装着手順を報知してもよい。
【０１５０】
［ステップＳ７１］制御部５０は、照合結果が認証成功とする。制御部５０は、生体情報の照合の結果、利用者が登録した本人であるとし、照合結果が認証成功と判定して照合処理を終了する。なお、制御部５０は、認証成功であることを生体情報入力装置１１または、生体情報入力装置１１が接続する外部の端末に出力してもよい。
【０１５１】
［ステップＳ７２］制御部５０は、照合結果が認証失敗とする。制御部５０は、生体情報の照合の結果、利用者が登録した本人ではないとし、認証失敗と判定して照合処理を終了する。なお、制御部５０は、認証失敗であることを生体情報入力装置１１または、生体情報入力装置１１が接続する外部の端末に出力してもよい。
【０１５２】
以上が第二の実施形態における生体情報入力装置１１である。
上記第二の実施例によれば、生体情報入力装置１１は、利用者の生体６０とガイド１３の標識２５、および種別標識２６とを撮影範囲に含めた撮影画像を静脈センサ２０で撮影可能である。生体情報入力装置１１は、撮影画像に含まれた標識２５の数と、標識２５の形状と、標識２５の表示位置によってガイド１３の装着状態を判定可能である。また、生体情報入力装置１１は、撮影画像に含まれた種別標識２６により、ガイドの種別を特定可能である。また、生体情報入力装置１１は、撮影画像に含まれた標識２５と生体６０によって生体６０の支持状態を判定可能である。
【０１５３】
これにより、生体情報入力装置１１は、登録時において撮影された撮影画像にもとづいてガイド１３の種別と、生体６０の支持状態と、ガイド１３の装着状態とを１枚の撮影画像で判定できる。また、生体情報入力装置１１は、登録時において撮影された撮影画像にもとづいてガイド１３の種別と、生体６０の支持状態と、ガイド１３の装着状態とを同時に判定できる。
【０１５４】
生体情報入力装置１１は、ガイド１３の種別の判定結果を用いて、ガイド１３の種別を特定できる。また、生体情報入力装置１１は、生体６０の支持状態の判定結果を用いて、生体６０を適切に支持可能なガイド１３を選択することを可能にする。また、生体情報入力装置１１は、ガイド１３の装着状態の判定結果を用いて、本体部１２へガイド１３の装着状態を案内できる。
【０１５５】
したがって、生体情報入力装置１１は、ガイド１３の適切な装着状態のもと、ガイド１３に適切に支持された生体６０から生体情報を取得できる。
また、生体情報入力装置１１は、判定したガイド１３の種別と生体情報とを併せて登録をおこなう。そして、生体情報入力装置１１は、照合時において、登録時に用いたガイド１３の種別を取得することで、登録時に用いたガイド１３で生体情報を取得することができる。
【０１５６】
生体情報入力装置１１は、照合時においても、撮影された撮影画像にもとづいてガイド１３の種別と、生体６０の支持状態と、ガイド１３の装着状態とを１枚の撮影画像で判定できる。また、生体情報入力装置１１は、照合時においても、撮影された撮影画像にもとづいてガイド１３の種別と、生体６０の支持状態と、ガイド１３の装着状態とを同時に判定できる。
【０１５７】
したがって、生体情報入力装置１１は、照合時において、登録時に用いたガイド１３の適切な装着状態のもと、ガイド１３に適切に支持された生体６０から生体情報を取得できる。
【０１５８】
これらによれば、生体情報入力装置１１は、登録時と照合時とにおいて同一のガイド１３を利用することができ、照合（同一性の確認）の精度が向上する。また、生体情報入力装置１１は、登録時と照合時とにおいて本体部１２へガイド１３を適切に装着し、生体情報を取得することができ、照合（同一性の確認）の精度が向上する。また、生体情報入力装置１１は、登録時と照合時とにおいて、利用者の生体６０を適切に支持するガイド１３を用いて生体情報を取得することができ、照合（同一性の確認）の精度が向上する。
【０１５９】
［第三の実施形態］
次に第三の実施形態について説明する。第三の実施形態では、生体情報入力装置１、１１の一部機能を外部装置が担う点で、第一の実施形態および第二の実施形態と異なる。
【０１６０】
第三の実施形態における生体情報入力装置を用いた認証システムについて、図２４を用いて説明をおこなう。図２４は、第三の実施形態の生体情報入力装置を含む認証システムを示す図である。生体情報入力装置１３５は、生体情報入力装置１１の機器を含む構成により実現可能である。以下、生体情報入力装置１３５の構成を、生体情報入力装置１１と同様の機器構成であるとして説明する。
【０１６１】
認証システム１３０は、生体の特徴を認識して個人を特定して認証する情報処理システムの１つであり、たとえば、銀行システムなどで顧客の認証をおこなう。認証システム１３０は、登録装置１３３、複数の自動預払装置１５０、およびホストコンピュータ１３１などの情報処理装置と、ネットワーク１３２を含んで構成される。
【０１６２】
登録装置１３３は、銀行の窓口などに設けられ、係員の指示または操作にしたがい、利用者の生体情報の登録をおこなう装置である。登録装置１３３は、処理装置１３４と、ディスプレイ１３６と、生体情報入力装置１３５を含んで構成され、必要に応じてキーボード１３７と、マウス１３８等を含んで構成される。生体情報入力装置１３５は、撮影装置を内蔵し、生体６０と標識２５とガイド１３を含めた撮影範囲で撮影する。処理装置１３４は、撮影画像にもとづいてガイド１３の種別と、生体６０の支持状態と、ガイド１３の装着状態とを判定する。また、処理装置１３４は、撮影画像から生体画像、または生体画像にもとづいて取得した生体情報を取得する。処理装置１３４は、手のひらの生体画像、または生体情報を処理装置１３４の記憶部、ホストコンピュータ１３１の記憶部、または利用者のＩＣカード１３９の記憶部のうち少なくともいずれか１つに記録する。
【０１６３】
ホストコンピュータ１３１は、認証システム１３０において、処理装置１３４や自動預払装置１５０からの入力に対して、データの処理をおこなう。ホストコンピュータ１３１は、ユーザＩＤと、生体認証前にあらかじめ登録される照合情報（登録テンプレート）とを関連付けて記憶する。
【０１６４】
自動預払装置１５０は、金融機関の屋内にあるＡＴＭ（Automated Teller Machine）コーナ１５５や、ＡＴＭブース１５６に、１台または複数台が設置される。自動預払装置１５０は、金融取引に先立ち、利用者を認証する際に、生体認証をおこなう認証装置の１つである。自動預払装置１５０は、ＩＣリーダライタ１５１とセンサユニット１５２を備える。
【０１６５】
センサユニット１５２は、撮影装置を備え、利用者の手のひらの静脈像を撮影する。自動預払装置１５０は、ＩＣリーダライタ１５１が利用者のＩＣカード１３９から読取るユーザＩＤから特定する照合情報と、センサユニット１５２から取得する利用者の生体情報とから、利用者の認証をおこなう。なお、センサユニット１５２は、生体情報入力装置１３５に置き換え可能である。
【０１６６】
なお、図２４に示す認証システム１３０は、生体情報入力装置１３５により、認証装置を構成しているが、生体情報入力装置１３５を生体情報入力装置１、１１に置き換えることもできる。
【０１６７】
なお、処理装置１３４の機能の一部、または全部をホストコンピュータ１３１が備え、処理装置１３４でおこなう処理の一部、または全部をホストコンピュータ１３１がおこなってもよい。
【０１６８】
次に、第三の実施形態における処理装置１３４のハードウェア構成について図２５を用いて説明をおこなう。図２５は、第三の実施形態の処理装置のハードウェアの構成を示す図である。
【０１６９】
処理装置１３４は、プロセッサ１６１によって装置全体が制御されている。プロセッサ１６１には、バス１６９を介してＲＡＭ（Random Access Memory）１６２と複数の周辺機器が接続されている。プロセッサ１６１は、マルチプロセッサであってもよい。プロセッサ１６１は、たとえばＣＰＵ、ＭＰＵ、ＤＳＰ、ＡＳＩＣ、またはＰＬＤである。また、プロセッサ１６１は、ＣＰＵ、ＭＰＵ、ＤＳＰ、ＡＳＩＣ、ＰＬＤのうちの２以上の要素の組み合わせであってもよい。
【０１７０】
ＲＡＭ１６２は、処理装置１３４の主記憶装置として使用される。ＲＡＭ１６２には、プロセッサ１６１に実行させるＯＳのプログラムやアプリケーションプログラムの少なくとも一部が一時的に格納される。また、ＲＡＭ１６２には、プロセッサ１６１による処理に必要な各種データが格納される。
【０１７１】
バス１６９に接続されている周辺機器としては、ＨＤＤ（Hard Disk Drive）１６３、グラフィック処理装置１６５、入力インタフェース１６６、光学ドライブ装置１６７、機器接続インタフェース１６８およびネットワークインタフェース１６４がある。
【０１７２】
ＨＤＤ１６３は、内蔵したディスクに対して、磁気的にデータの書き込みおよび読出しをおこなう。ＨＤＤ１６３は、補助記憶装置として使用される。ＨＤＤ１６３には、ＯＳのプログラム、アプリケーションプログラム、および各種データが格納される。なお、補助記憶装置としては、フラッシュメモリなどの半導体記憶装置を使用することもできる。
【０１７３】
グラフィック処理装置１６５には、ディスプレイ１３６が接続されている。グラフィック処理装置１６５は、プロセッサ１６１からの命令に従って、画像をディスプレイ１３６の画面に表示させる。ディスプレイ１３６としては、ＣＲＴ（Cathode Ray Tube）を用いた表示装置や液晶表示装置などがある。なお、グラフィック処理装置１６５に、生体情報入力装置１３５が接続され、画像を情報入力機器の表示部１４に表示させてもよい。
【０１７４】
入力インタフェース１４６には、キーボード１３７とマウス１３８と生体情報入力装置１３５とが接続されている。入力インタフェース１６６は、キーボード１３７、マウス１３８や生体情報入力装置１３５から送られてくる信号をプロセッサ１６１に送信する。なお、マウス１３８は、ポインティングデバイスの一例であり、他のポインティングデバイスを使用することもできる。他のポインティングデバイスとしては、タッチパネル、タブレット、タッチパッド、トラックボールなどがある。
【０１７５】
光学ドライブ装置１６７は、レーザ光などを利用して、光ディスク１７０に記録されたデータの読取りをおこなう。光ディスク１７０は、光の反射によって読取り可能なようにデータが記録された可搬型の記録媒体である。光ディスク１７０には、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などがある。
【０１７６】
機器接続インタフェース１６８は、処理装置１３４に周辺機器を接続するための通信インタフェースである。たとえば機器接続インタフェース１６８には、メモリ装置１７１やメモリリーダライタ１７２を接続することができる。メモリ装置１７１は、機器接続インタフェース１６８との通信機能を搭載した記録媒体である。メモリリーダライタ１７２は、メモリカード１７３へのデータの書き込み、またはメモリカード１７３からのデータの読出しをおこなう装置である。メモリカード１７３は、カード型の記録媒体である。
【０１７７】
ネットワークインタフェース１６４は、ネットワーク１３２に接続されている。ネットワークインタフェース１６４は、ネットワーク１３２を介して、他のコンピュータ、ホストコンピュータまたは通信機器との間でデータの送受信をおこなう。
【０１７８】
以上のようなハードウェア構成によって、第三の実施形態の処理機能を実現することができる。
処理装置１３４は、たとえば、読取り可能な記録媒体に記録されたプログラムを実行することにより、第三の実施形態の処理機能を実現する。処理装置１３４に実行させる処理内容を記述したプログラムは、様々な記録媒体に記録しておくことができる。たとえば、処理装置１３４に実行させるプログラムをＨＤＤ１６３に格納しておくことができる。プロセッサ１６１は、ＨＤＤ１６３内のプログラムの少なくとも一部をＲＡＭ１６２にロードし、プログラムを実行する。また、処理装置１３４に実行させるプログラムを、光ディスク１７０、メモリ装置１７１、メモリカード１７３などの可搬型記録媒体に記録しておくこともできる。可搬型記録媒体に格納されたプログラムは、たとえばプロセッサ１６１からの制御により、ＨＤＤ１６３にインストールされた後、実行可能となる。また、プロセッサ１６１が、可搬型記録媒体から直接プログラムを読出して実行することもできる。
【０１７９】
以上が第三の実施形態である。
なお、実施形態は、認証に用いる生体情報として手のひらの静脈像を例示したが、認証に用いる生体情報を掌紋とすることもできる。また、指紋、掌形、網膜、虹彩、顔、血管、声紋、耳形、ＤＮＡなどの生体情報の入力にも適用可能である。この場合には、取得する生体情報に合わせてガイドの形状を調整し、生体とガイドの一部を撮影範囲に含めた撮影画像を撮影することで、生体情報入力装置は、適切なガイドであるか否かを判定可能である。
【０１８０】
なお、上記の処理機能は、コンピュータによって実現することができる。その場合、生体情報入力装置１（生体情報入力装置１１または、処理装置１３４と生体情報入力装置１３５）が有すべき機能の処理内容を記述したプログラムが提供される。そのプログラムをコンピュータで実行することにより、上記処理機能がコンピュータ上で実現される。処理内容を記述したプログラムは、コンピュータで読取り可能な記録媒体（可搬型記録媒体を含む）に記録しておくことができる。コンピュータで読取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ、ＣＤ−Ｒ／ＲＷなどがある。光磁気記録媒体には、ＭＯ（Magneto-Optical disk）などがある。
【０１８１】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１８２】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読取り、プログラムにしたがった処理を実行する。なお、コンピュータは、可搬型記録媒体から直接プログラムを読取り、そのプログラムにしたがった処理を実行することもできる。また、コンピュータは、サーバコンピュータからプログラムが転送されるごとに、逐次、受け取ったプログラムにしたがった処理を実行することもできる。
【０１８３】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１８４】
１、１１  生体情報入力装置
２、１２  本体部
３  ガイド部
３ａ  標識部
４  撮影部
５  判定部
６、６０  生体
７  ガイド部装着状態
８  生体支持状態
１３  ガイド
１４  表示部
１５  ＭＳリーダ
１６、１５１  ＩＣリーダライタ
１７  操作部
１８  手首ガイド
１８ａ  前方起立壁
１８ｂ  側方起立壁
１９  手首支持部
２０  静脈センサ
２１  指ガイド
２２ａ、２２ｂ  第１指／第５指支持部
２３  三指支持部
２４  窓部
２５、２５ａ、２５ｂ、７５、８３ａ、８３ｂ、１１１ａ、１１１ｂ、１１６ａ、１１６ｂ、１２１、１２７ａ、１２７ｂ  標識
２６、７６、８２、９１、９６、１０１  種別標識
３０  底部
３１  前方壁
３２  後方壁
３３、３３ａ、３３ｂ  側方壁
３４  スリット
【図１】
2014026585.tif 000003
【図２】
2014026585.tif 000004
【図３】
2014026585.tif 000005
【図４】
2014026585.tif 000006
【図５】
2014026585.tif 000007
【図６】
2014026585.tif 000008
【図７】
2014026585.tif 000009
【図８】
2014026585.tif 000010
【図９】
2014026585.tif 000011
【図１０】
2014026585.tif 000012
【図１１】
2014026585.tif 000013
【図１２】
2014026585.tif 000014
【図１３】
2014026585.tif 000015
【図１４】
2014026585.tif 000016
【図１５】
2014026585.tif 000017
【図１６】
2014026585.tif 000018
【図１７】
2014026585.tif 000019
【図１８】
2014026585.tif 000020
【図１９】
2014026585.tif 000021
【図２０】
2014026585.tif 000022
【図２１】
2014026585.tif 000023
【図２２】
2014026585.tif 000024
【図２３】
2014026585.tif 000025
【図２４】
2014026585.tif 000026
【図２５】
2014026585.tif 000027